(57)【要約】【課題】保守モードが選択されたことをかご内の保守員に知らせるエレベータの保守モードアナウンス装置を得る。【解決手段】エレベータ制御装置１と、保守用携帯端末２と、一般用アナウンス音声データを出力するアナウンス装置３と、一般用アナウンスを出力するアナウンス装置用スピーカー４と、予め保守用の各モードに応じた複数の保守用アナウンス音声データを一般用アナウンス音声データとは別に記憶し、エレベータ制御装置と通信を行って保守用携帯端末から指定された保守モードを選択し、選択された保守用アナウンス音声データを出力するエレベータ通信装置５と、エレベータかご内に設けられ、エレベータ通信装置で選択された保守モードに応じた保守用アナウンス音声データをかご内に流すインターホンスピーカー６とを備える。【選択図】図１
2009149382.tif 000002
【特許請求の範囲】
【請求項１】
通信インターフェースを含むエレベータ制御装置と、
保守時に前記エレベータ制御盤へ接続される保守用携帯端末と、
予め一般用アナウンス音声データを記憶し、前記エレベータ制御装置から送信されるアナウンスコードに応じた一般用アナウンス音声データを出力するアナウンス装置と、
一般用アナウンスを出力するアナウンス装置用スピーカーと、
予め保守用の各モードに応じた複数の保守用アナウンス音声データを前記一般用アナウンス音声データとは別に記憶しており、前記エレベータ制御装置と通信を行って前記保守用携帯端末から指定された保守モードを選択し、選択された前記保守用アナウンス音声データを出力するエレベータ通信装置と、
エレベータかご内に設けられ、前記エレベータ通信装置で選択された保守モードに応じた保守用アナウンス音声データをかご内に流すインターホンスピーカーと、
を備えたことを特徴とするエレベータの保守モードアナウンス装置。
【請求項２】
通信インターフェースを含むエレベータ制御装置と、
保守時に前記エレベータ制御盤へ接続される保守用携帯端末と、
予め一般用アナウンス音声データを記憶し、前記エレベータ制御装置から送信されるアナウンスコードに応じた一般用アナウンス音声データを出力するアナウンス装置と、
一般用アナウンスを出力するアナウンス装置用スピーカーと、
予め保守用の各モードに応じた複数の保守用アナウンス音声データを前記一般用アナウンス音声データとは別に記憶しており、前記エレベータ制御装置と通信を行って前記保守用携帯端末から指定された保守モードを選択し、選択された前記保守用アナウンス音声データを出力するエレベータ通信装置と、
エレベータかご内に設けられ、前記エレベータ通信装置で選択された保守モードに応じた保守用アナウンス音声データをかご内に流すインターホンスピーカーと、
エレベータのかご操作盤に設けられ、保守時の手動運転時に押し下げ操作されることで上方向に走行させるＵＰ運転ボタン及び下方向に走行させるＤＯＷＮ運転ボタンとを備え、
前記ＵＰ運転ボタン及びＤＯＷＮ運転ボタンの両方が押し下げられている状態が所定時間継続した時、前記インターホンスピーカーから保守用アナウンス音声データを再度かご内に流すことを特徴とするエレベータの保守モードアナウンス装置。
【請求項３】
エレベータ通信装置は、予め保守用の各モードに応じた複数の保守用アナウンス音声データを一般用アナウンス音声データとは別に記憶している保守用アナウンスデータ記憶部と、エレベータ制御装置と通信を行って保守用携帯端末から指定された保守モードを選択する保守用アナウンス選択部と、選択された保守用アナウンス音声データをインターホンスピーカーに出力する保守用音声出力部とから構成され、前記保守用アナウンスデータ記憶部のアナウンス内容の追加又は変更を可能としたことを特徴とする請求項１又は請求項２記載のエレベータの保守モードアナウンス装置。
【請求項４】
保守モードが解除されたとき、インターホンスピーカーから保守モードが解除された旨のアナウンスを行うことを特徴とする請求項１〜請求項３のいずれかに記載のエレベータの保守モードアナウンス装置。
【発明の詳細な説明】
【技術分野】
【０００１】
この発明は、保守用携帯端末などの操作によって保守モードを選択したときに、かご内のインターホンスピーカーから選択された保守モードに応じた保守用アナウンスを行うエレベータの保守モードアナウンス装置に関するものである。
【背景技術】
【０００２】
従来のエレベータの保守モードを確認するためのシステム構成を図３に示す。
図３において、１は通信インターフェースを含むエレベータ制御装置、２は保守時にエレベータ制御装置１へ接続される保守用携帯端末、３は予めアナウンス音声データを記憶しておき、アナウンス音声データ毎にアナウンスコードを割り付け、エレベータ制御装置１から送信されるアナウンスコードに応じたアナウンス音声データを出力するアナウンス装置、４はアナウンス装置用スピーカーである。
保守用携帯端末２は、エレベータ制御装置１に対して、エレベータの保守用の各モードに設定するための特定コマンドを送信する機能を有しており、通常は１モードに対して１コマンドが割り当てられるのが一般的である。また、エレベータ制御装置１は、保守用携帯端末２から特定コマンドを受信したとき、コマンドに応じた保守用モードに遷移する。保守用の各モードの具体例としては、例えば、次に挙げるようなものがある。
１．通報阻止モード
例えば、エレベータが階間に停止した時、通常サービス中であれば異常状態と認識してエレベータ監視センターへの通報を行うが、通報阻止モードを設定することで、保守員の作業による異常状態（階間停止）は無視し通報を抑止する。
２．インジケータ点検モード
各階に設置される乗場インジケータの点検は、かごがどの階にあっても、かご位置（階）が正常に表示されることを確認するが、全ての階に移動して、かごを全行程走行させることが必要となる。インジケータ点検モードを設定することで、インジケータの表示をスクロール表示（ＬＥＤの場合）や、シーケンシャルに各階ランプを点灯させ、点検を容易化する。
３．かご位置設定モード
乗場釦を押し下げることで、保守員がかご上に搭乗する位置へ自動的に走行する機能を具備している場合、通常サービス中にはその機能を無効にして、機能を使用する場合にのみ、かご位置設定モードを設定する。
上記の保守用モードへ遷移すると、エレベータ制御装置１は、保守用携帯端末２から保守用モードを設定するコマンドを受信したとき、アナウンス装置３に対し、アナウンスコードを送信し、アナウンス装置３は受信したアナウンスコードに応じたアナウンス音声データをアナウンス装置用スピーカー４に出力し、スピーカー４がアナウンスをかご内に流す。また、アナウンス装置３に予め記憶されているアナウンス音声データの中に保守用モード選択時のアナウンス内容が含まれていない場合、保守員は保守用携帯端末２をエレベータ制御装置１に接続して、エレベータ制御装置内メモリデータを参照して保守用モードに移行した状態、又は解除された状態であることを確認する必要がある。なお、アナウンス装置３に保守用モード選択時のアナウンス音声データを搭載すると、通常運行時用のアナウンス音声デ−タを削減する必要があり、保守用のアナウンスが搭載されていないのが一般的である。
【０００３】
【特許文献１】特開２００６−２９０４７１号公報
【発明の開示】
【発明が解決しようとする課題】
【０００４】
従来のエレベータの保守モードを確認するためのシステムでは、保守用モードが選択されたことを確認する場合、通常運行時用のアナウンス音声データを削減して、アナウンス装置に保守用アナウンスを搭載することで、モード選択時にアナウンスを流す方法か、もしくは保守用携帯端末をエレベータ制御装置へ接続して、エレベータ制御装置内メモリデータを参照して保守用モードに移行した状態、又は解除された状態であることを確認する方法が一般的である。しかし、前者の場合は、乗客へ通知することを目的とする一般用のアナウンスを削減するか、保守用アナウンスを搭載可能なメモリ資源を確保する必要があり、サービス低下、もしくは製品機器のコストアップとなる。また、後者の場合は、保守用携帯端末をその都度操作する必要があので、操作が面倒となり、それぞれ問題がある。
エレベータの保守というのは、製品機種により各種類のモードがあるため、保守経験の少ない保守員が行う場合、保守対象のエレベータが保守用モードに移行した状態や、保守用モードが解除された状態であることを確認する作業に余り馴れておらず、そのために時間を余分に要しているのが実情である。したがって、経験年数の格差を容易に解消できるようなエレベータの保守装置の出現が望まれている。
【０００５】
この発明は、上述のような課題を解決するためになされたもので、保守用携帯端末などの操作によって保守モードを選択したときに、かご内のインターホンスピーカーから選択された保守モードに応じた保守用アナウンスを行うことにより、保守モードが選択されたことをかご内の保守員に知らせ、更にかご操作盤内の保守スイッチを特定操作することにより、現在選択されている保守モードを再度アナウンスすることで、再確認を可能にしたエレベータの保守モードアナウンス装置を提供するものである。
また、保守モードが解除されたときにも、アナウンスすることで、保守モードが解除されたことを保守員に知らせることを可能にしたエレベータの保守モードアナウンス装置を提供するものである。
【課題を解決するための手段】
【０００６】
この発明に係るエレベータの保守モードアナウンス装置においては、通信インターフェースを含むエレベータ制御装置と、保守時にエレベータ制御盤へ接続される保守用携帯端末と、予め一般用アナウンス音声データを記憶し、エレベータ制御装置から送信されるアナウンスコードに応じた一般用アナウンス音声データを出力するアナウンス装置と、一般用アナウンスを出力するアナウンス装置用スピーカーと、予め保守用の各モードに応じた複数の保守用アナウンス音声データを一般用アナウンス音声データとは別に記憶しており、エレベータ制御装置と通信を行って保守用携帯端末から指定された保守モードを選択し、選択された保守用アナウンス音声データを出力するエレベータ通信装置と、エレベータかご内に設けられ、エレベータ通信装置で選択された保守モードに応じた保守用アナウンス音声データをかご内に流すインターホンスピーカーとを備えたものである。
【０００７】
また、更にエレベータのかご操作盤に設けられ、保守時の手動運転時に押し下げ操作されることで上方向に走行させるＵＰ運転ボタン及び下方向に走行させるＤＯＷＮ運転ボタンを備え、ＵＰ運転ボタン及びＤＯＷＮ運転ボタンの両方が押し下げられている状態が所定時間継続した時、インターホンスピーカーから保守用アナウンス音声データを再度かご内に流すものである。
【０００８】
また、エレベータ通信装置は、予め保守用の各モードに応じた複数の保守用アナウンス音声データを一般用アナウンス音声データとは別に記憶している保守用アナウンスデータ記憶部と、エレベータ制御装置と通信を行って保守用携帯端末から指定された保守モードを選択する保守用アナウンス選択部と、選択された保守用アナウンス音声データをインターホンスピーカーに出力する保守用音声出力部とから構成され、保守用アナウンスデータ記憶部のアナウンス内容の追加又は変更を可能としたものである。
【０００９】
また、保守モードが解除されたとき、インターホンスピーカーから保守モードが解除された旨のアナウンスを行うものである。
【発明の効果】
【００１０】
この発明によれば、保守用携帯端末をエレベータ制御装置に接続して、保守モードを選択しているかを確認する必要がないため、保守モードの確認が容易となる。また、エレベータ通信装置にアナウンスメッセージを搭載することで、通常運行時のメッセージに制約を受けることなく、アナウンス内容の追加・変更が可能となる効果がある。
【発明を実施するための最良の形態】
【００１１】
実施の形態１．
図１はこの発明の実施の形態１におけるエレベータの保守モードアナウンス装置の全体構成を示すシステム構成図、図２はこの発明の実施の形態１におけるエレベータの保守モードアナウンス装置の動作フローを示すフローチャートである。
【００１２】
図１において、１は通信インターフェースを含むエレベータ制御装置、２は保守時にエレベータ制御装置１へ接続される保守用携帯端末、３は予め一般用アナウンス音声データを記憶しておき、アナウンス音声データ毎にアナウンスコードを割り付け、エレベータ制御装置１から送信されるアナウンスコードに応じた一般用アナウンス音声データを出力するアナウンス装置、４は一般用アナウンスを出力するアナウンス装置用スピーカー、５はエレベータ制御装置１と通信を行い、予め保守用の各モードに応じた保守用アナウンス音声データを記憶しているエレベータ通信装置である。エレベータ通信装置５は、選択された保守用アナウンス音声データをインターホンスピーカー６に出力する保守用音声出力部５ａと、エレベータ制御装置１と通信を行って保守用携帯端末２から指定された保守モードを選択する保守用アナウンス選択部５ｂと、予め保守用の各モードに応じた複数の保守用アナウンス音声データを一般用アナウンス音声データとは別に記憶している保守用アナウンスデータ記憶部５ｃとから構成されている。保守用アナウンスデータ記憶部５ｃは、複数の保守用アナウンスデータ１〜保守用アナウンスデータＮを記憶しており、そのアナウンス内容は適宜追加又は変更することが可能である。６はエレベータかご内に設けられたインターホンスピーカーである。エレベータ通信装置５は、インターホンスピーカー６に対し、保守用アナウンス音声データを出力する機能を有しており、インターホンスピーカー６は、出力された保守用アナウンス音声データをかご内に流すことが可能である。７はエレベータのかご操作盤、８はかご操作盤７内に設置された保守スイッチとしてのＵＰ運転ボタンで、保守員がエレベータを手動で上方向へ運転する際に押し下げられる。９はかご操作盤７内に設置された保守スイッチとしてのＤＯＷＮ運転ボタンで、保守員がエレベータを手動で下方向へ運転する際に押し下げられる。ＵＰ運転ボタン８とＤＯＷＮ運転ボタン９は、通常の自動運転時に押し下げても機能せず、また、手動運転時は何れか一方のボタンを押し下げることで、上方向又は下方向に走行する。
【００１３】
次に、エレベータの保守モードアナウンス装置の動作フローについて、図２を用いて説明する。
先ず、保守員が保守用携帯端末２をエレベータ制御装置１に接続して、エレベータ制御装置１に対し、エレベータの保守用の各モード（モード１〜モードＮの何れか）の中から、例えば保守モード１を設定するためのコマンドを選択し送信すると、エレベータ制御装置１は保守用携帯端末２から保守用モードのモード１の設定信号を受信し（ステップＳ１）、エレベータ制御装置１は保守用携帯端末２から指定された保守モードを選択する（ステップＳ２）。そして、エレベータ制御装置１はエレベータ通信装置５に対し、モード１を選択し保守モードに遷移したことを通知する（ステップＳ３）。エレベータ通信装置５は、予め記憶している保守用アナウンスデータの中からモード１に対応する保守用アナウンス音声データを選択し、インターホンスピーカー６へ出力し、インターホンスピーカー６がかご内へ保守用アナウンス音声を流す（ステップＳ４）。また、エレベータ制御装置１は、かご操作盤７内のＵＰ運転ボタン８とＤＯＷＮ運転ボタン９の両方が押し下げられている状態（ステップＳ５、Ｓ６）を２秒以上継続して検出したとき（ステップＳ７、Ｓ８）、現在選択している保守用モードをエレベータ通信装置５へ通知し（ステップＳ３）、以降は前述同様にインターホンスピーカー６から現在選択されている保守用モードに応じたアナウンスをかご内に再度流す（ステップＳ４）。これにより、かご操作盤７の保守スイッチ（ＵＰ運転ボタン８とＤＯＷＮ運転ボタン９）を特定操作することにより、現在選択されている保守モードを再確認することができる。
【００１４】
また、エレベータの保守モードが解除された場合においても、同様にアナウンスすることで、保守モードが解除されたことをかご内の保守員に知らせるようにしても良いことは勿論である。
【図面の簡単な説明】
【００１５】
【図１】この発明の実施の形態１におけるエレベータの保守モードアナウンス装置の全体構成を示すシステム構成図である。
【図２】この発明の実施の形態１におけるエレベータの保守モードアナウンス装置の動作フローを示すフローチャートである。
【図３】従来のエレベータの保守モードを確認するための構成を示すシステム構成図である。
【符号の説明】
【００１６】
１  エレベータ制御装置
２  保守用携帯端末
３  アナウンス装置
４  アナウンス装置用スピーカー
５  エレベータ通信装置
５ａ  保守用音声出力部
５ｂ  保守用アナウンス選択部
５ｃ  保守用アナウンスデータ記憶部
６  インターホンスピーカー
７  かご操作盤
８  ＵＰ運転ボタン
９  ＤＯＷＮ運転ボタン
【図１】
2009149382.tif 000003
【図２】
2009149382.tif 000004
【図３】
2009149382.tif 000005